(57)【要約】【課題】撮像装置を擬似的に振れのある状態にする為の特殊な装置を用いることなく、コストや実演の手間をかけなくても容易にユーザーが手ぶれ補正機能の動作中の効果を確認できるようなデモンストレーションを行えるようにする。【解決手段】振れ補正信号を算出する演算手段への入力を、撮像装置に加わる振れを検出する振れ検出手段よりの振れ検出信号と擬似振れ信号生成手段よりの擬似の振れ信号のいずれかに切り換える入力切換手段と、外部操作により選択される撮像装置の動作モードが手ぶれ補正モードか手ぶれ補正デモモードかに応じて前記入力切換手段の切り換え制御を行う制御手段（ｓ４０３〜ｓ４１６）とを有する。【選択図】        図４
2004312136.tif 000002
【特許請求の範囲】
【請求項１】
撮像装置に加わる振れを検出する振れ検出手段と、
擬似の振れ信号を生成する擬似振れ信号生成手段と、
前記振れ検出手段よりの振れ検出信号もしくは前記擬似振れ信号生成手段よりの前記擬似の振れ信号に基づいて振れ補正信号を算出する演算手段と、
前記演算手段により算出された前記振れ補正信号に基づき、画像の振れを補正する振れ補正手段と、
前記演算手段への入力を、前記振れ検出信号と前記擬似の振れ信号のいずれかに切り換える入力切換手段と、
外部操作により選択される撮像装置の動作モードが手ぶれ補正モードか手ぶれ補正デモモードかに応じて前記入力切換手段の切り換え制御を行う制御手段とを有することを特徴とする撮像装置。
【発明の詳細な説明】
【０００１】
【発明の属する技術分野】
本発明は、撮影時における手ぶれ等の振れを補正する機能を備えたビデオカメラ等に代表される撮像装置の改良に関するものである。
【０００２】
【従来の技術】
小型ビデオカメラ等の撮像装置による撮影においては、手ぶれや振動により装置が振れ、このため、振れのある撮影画像が出力される、あるいは記録されるという欠点がある。
【０００３】
そこで、上記のような欠点を解消する方策として、例えば、振れ検出手段に角速度センサや角加速度センサ等を用いて撮像装置の振れ成分を検出し、振れ補正手段に放送方式で必要とする標準の撮像素子に比べ画素数の多い撮像素子を用いて放送方式標準サイズを切り出し、その切り出したエリアを前述の振れ検出手段の検出信号に基づいて上下左右に移動させることで撮影画像の振れを低減する電子式の補正方式、あるいは撮像光学系の一部を動かすことで入射光軸を偏向して撮影画像の振れを低減する光学式の補正方式を用いた、いわゆる振れ補正機能を搭載する撮像装置が開発され、既に製品化されている。
【０００４】
以下に、振れ検出手段に角速度センサを、振れ補正手段に電子式の補正方式を用いた従来例について説明する。
【０００５】
図１２は電子式の振れ補正方式における撮像素子の撮像エリアをイメージした図である。
【０００６】
同図において、１２０１は撮像素子の全撮像エリア、１２０２，１２０３，１２０４は放送方式の標準サイズを示すエリアである。このうち、振れ補正を行わない場合は、中央の１２０３を切り出して撮影画像として出力する。振れ補正を行う場合は、振れ検出手段からの振れ検出信号に基づいて、例えば、１２０２や、１２０４等の位置へ切り出しエリアを振れが打ち消される方向に移動させ、撮影画像として出力する。切り出し位置としては、全撮像エリア１２０１内であれば任意の位置から切り出しが可能であり、手ぶれを低減させた撮影画像を提供できる。
【０００７】
次に、従来の振れ補正機能を備えた撮像装置の構成について、図１３を用いて説明する。
【０００８】
同図において、従来の撮像装置は、撮像レンズ１０１と、該撮像レンズ１０１からの被写体像が結像されるＣＣＤ等の撮像素子１０２と、該撮像素子１０２からの出力に所定の信号処理を施して規格化された映像信号に変換するカメラ信号処理回路１０３と、前記撮像素子１０２を駆動する撮像素子駆動回路１０４と、前記カメラ信号処理回路１０３で生成されるデジタル撮像信号を少なくとも１ライン分記憶し、任意の位置（アドレス）から読み出し可能とするラインメモリ１０５と、後述するカメラシステムを制御するカメラシステム制御用マイクロコンピュータ（以下、カメラマイコン）１３１の制御命令に基づいて、前記ラインメモリ１０５に記憶された先頭の画素を選択し、標準イメージサイズ分だけのデータを読み出し制御するメモリ制御回路１０６と、映像信号に文字情報を出力する文字列発生器１０７と、映像信号に文字情報をミックスする加算器１０８と、装置の振れを検出して振れ検出信号を生成する振れ検出部１２１と、出力に所定の信号処理を施すカメラマイコン１３１と、装置のスイッチ操作等による動作モードを制御するモード制御用マイクロコンピュータ（以下、モード制御部）１５２と、装置を操作するスイッチ群１５１とから構成されている。
【０００９】
振れ検出信号を生成する前記振れ検出部１２１は、振れを検出する角速度センサ１２２と、該角速度センサ１２２の出力から直流成分を除去する高域通過フィルタ（以下、ＨＰＦ）１２３と、該ＨＰＦ１２３からの出力を所定量増幅する増幅器１２４とを備えている。
【００１０】
また、前記カメラマイコン１３１は、振れ検出部１２１内の増幅器１２４からのアナログ出力をデジタル信号に変換するＡ／Ｄ変換器１２５と、該Ａ／Ｄ変換器１２５の出力から直流成分を除去するＨＰＦ１２６と、該ＨＰＦ１２６の出力に位相補償を行う位相補償部１２７と、該位相補償部１２７の出力の通過帯域制限をする可変ＨＰＦ１２８と、該可変ＨＰＦ１２８の出力を積分する積分器１２９と、該積分器１２９の出力から振れの補正量を算出する補正系制御部１３０とを備えている。
【００１１】
次に、上記構成における撮像装置の具体的な動作について説明する。
【００１２】
撮影レンズ１０１を通過した入射光は撮像素子１０２の撮像面上で光学像として結像され、撮像素子１０２によって光電変換される。ここで使用される撮像素子１０２は、放送方式（例えばＮＴＳＣ方式）で必要となる標準の撮像素子に比べて画素数の多い撮像素子を用いており、カメラマイコン１３１からの後述する制御命令に基づき、どのラインから最終的に出力するエリアを切り出すかをＶ方向に関して選択が可能なように工夫されている撮像素子駆動回路１０４によって駆動される。
【００１３】
具体的には、図１２における１２０１が全イメージサイズ、１２０２，１２０３，１２０４は放送方式に準ずる標準イメージサイズの例であり、例えば、最上ラインからΔｙａライン下のｙａ＋１ラインから有効とする場合、Δｙａラインを高速に読み出し、垂直同期信号に対し標準サイズのＣＣＤを用いた場合と同じタイミングでｙａ＋１から読み出す。そして、残りのΔｙｂラインを再び高速に読み出すことにより、実際にＶ方向に関して、標準イメージサイズのラインを切り出すことが可能となっている。
【００１４】
次いで、撮像素子１０２から出力された信号はカメラ信号処理回路１０３へと供給され、規格化された映像信号として出力される。この映像信号には、装置の動作状態が示される文字情報が加算器１０８によってミックスされる。ミックスされる文字情報は、文字列発生器１０７に用意されており、モード制御部１５２の制御命令に基づき、加算器１０８へ出力される。
【００１５】
また、カメラ信号処理回路１０３に入力された撮像信号は、Ａ／Ｄ変換された後、ラインメモリ１０５へ供給される。このラインメモリ１０５は、少なくとも１ライン分の記憶容量を有しており、さらに所定の位置（アドレス）から読み出すことが可能となっている。なお、ラインメモリ１０５に記憶される撮像信号は標準イメージサイズに比べ画素数が多い状態で記憶される。そして、このラインメモリ１０５に記憶されている撮像信号は、標準イメージサイズ分だけ読み出すように工夫されているメモリ制御回路１０６によって、後述するカメラマイコン１３１からの制御命令に基づき読み出され、カメラ信号処理回路１０３へ供給される。詳しくは、ラインメモリ１０５から読み出す先頭の画素がカメラマイコン１３１からの制御命令に基づいて選択され、カメラ信号処理回路１０３へその情報が供給される。
【００１６】
次に、カメラマイコン１３１から撮像素子駆動回路１０４、メモリ制御回路１０６へ供給される制御命令について説明する。
【００１７】
角速度センサ１２２より装置の振れに基づいた振れ検出信号が出力され、その角速度センサ１２２の出力よりＨＰＦ１２３にて直流成分を除去され、その後、増幅器１２４により所定量増幅され、カメラマイコン１３１に入力される。つまり、前記１２１〜１２３までによって構成される振れ検出部１２１によって、角速度センサ１２２の振れ検出信号が所定の帯域制限と増幅が施された振れ検出信号として生成され、カメラシステムの制御を行うカメラマイコン１３１に入力される。
【００１８】
カメラマイコン１３１に入力された振れ検出信号は、Ａ／Ｄ変換器１２５にてアナログ振れ信号をデジタル振れ信号に変換された後、ＨＰＦ１２６によりＡ／Ｄ変換等で生じた直流成分が除去される。したがって、ＨＰＦ１２６の遮断周波数は十分に低いものである。次いで、位相補償部１２７にて、直流成分の除去された振れ検出信号に対し、位相特性を所定の周波数帯までフラットになるように高域周波数帯の位相遅れの位相補償が行われ、次いで、遮断周波数を可変とした可変ＨＰＦ１２８にて所定の通過帯域制限および位相補償が施され、さらに積分器１２９で積分演算されて角速度信号が角変位信号へと変換され、振れ補正制御量が生成される。
【００１９】
このようにして生成された振れ補正制御量に基づき、補正系制御部１３０より振れ補正信号（前述の制御命令）が撮像素子駆動回路１０４、メモリ制御回路１０６へと出力される。
【００２０】
前述の制御命令を受ける撮像素子駆動回路１０４、メモリ制御回路１０６は、各々、振れ補正信号に基づいて撮像素子１０２の切り出し位置を可変するように動作する。また、補正系制御部１３０は、振れ検出部１２１にて検出される振れ検出信号の振幅、周波数などから撮像装置が所定時間固定されたまま（静止している）か否かを判定し、固定されている（静止している）ならば、前記撮像素子１０２の切り出し位置を全エリア１２０１の中央の１２０３に固定する。
【００２１】
図１１は、カメラマイコン１３１内で実行される振れ補正処理のフローチャートであり、同図（ａ）は全体の処理においてＶ周期毎に処理されるルーチン、同図（ｂ）は全体の処理に割り込む割り込みルーチンである。
【００２２】
まず、図１１（ａ）により、Ｖ周期毎に処理されるルーチンについて説明する。
【００２３】
ステップｓ１１０１では、カメラマイコンの初期設定、つまり割り込み処理やＲＡＭの設定を行う。次のステップｓ１１０２では、割り込みカウンタの値が設定値と等しくなったか否かを比較し、等しくなった場合（ｙｅｓ）はステップｓ１１０３へ進む。等しくなければ（ｎｏ）、設定値になるまでこのステップに待機する。次のステップｓ１１０３では、ステップｓ１１０１の初期設定で設定された設定値で処理されるごとに割り込みカウンタのカウントをクリアする。
【００２４】
次のステップｓ１１０４では、振れ検出部１２１からの振れ検出信号の出力振幅および周波数等から装置の静止状態を判定する。例えば、振れ検出部１２１からの振れ検出信号の出力振幅が所定の閾値振幅よりも低く、かつ周波数が所定の閾値周波数より低い状態が所定の時間以上継続した場合は、装置が静止状態にあると判定し、あるいは、振れ検出部１２１からの検出信号の出力振幅が所定の閾値振幅よりも高く、かつ周波数が所定の閾値周波数より高い場合は、装置が静止状態でないと判定する。
【００２５】
そして、次のステップｓ１１０５にて、装置が静止モードであるか否かを判定し、静止モードであれば（ｙｅｓ）ステップｓ１１０７へ進み、静止モードでなければ（ｎｏ）ステップｓ１１０６へ進む。
【００２６】
静止モードでないとしてステップｓ１１０６へ進むと、振れ検出部１２１からの振れ検出信号に基づいて、装置のパンニング（もしくはチルティング）動作に対して振れ補正を最適化し、ステップｓ１１０７へ進む。
【００２７】
ステップ１１０７では、手ぶれ補正（防振）のオン／オフ設定を行う。詳しくは、ステップｓ１１０５での静止状態判定結果や、撮像装置のスイッチ操作等から現在、手ぶれ補正が動作中であるか、停止中であるかの設定を行う。次のステップｓ１１０８では、振れ検出部１２１からの出力に基づいて振れ補正量を選定する。この振れ補正量の選定は、ステップｓ１１０１での初期設定の設定値に基づき、後述する割り込み処理で算出されている振れ補正量から選定する。続くステップｓ１１０９では、ステップｓ１１０８で選定された振れ補正量に基づいて、撮像素子１０２の切り出し位置データ（Ｖ方向、Ｈ方向）を設定する。そして、設定後はステップｓ１１０２に戻り、処理を繰り返す。
【００２８】
次に、全体の処理に割り込む処理について、図１１（ｂ）にしたがって説明する。この割り込み処理は、上記図１１（ａ）のＶ同期で処理される振れ補正処理よりも早い周期（例えば、１ｍｓｅｃ）で行われている処理である。
【００２９】
割り込み処理に入ると、まずステップｓ１１２１にて、振れ検出部１２１からの振れ検出信号をＡ／Ｄ変換処理をして取り込む。そして、次のステップｓ１１２２にて、ＨＰＦ演算、つまりステップｓ１１２１で取り込んだ振れ検出信号をＡ／Ｄ変換することで生じた直流成分を除去する。続くステップｓ１１２３では、ステップｓ１１２２で直流成分を除去された振れ検出信号に対して所定帯域の位相補償を行う。
【００３０】
次に、ステップｓ１１２４にて、ＨＰＦ演算、つまりステップｓ１１２３で所定の位相補償を施された振れ検出信号に対して所定の帯域制限を施す。次のステップｓ１１２５では、ステップｓ１１２４で所定の帯域制限の施された振れ検出信号に対して積分処理を施し、角変位信号へと変換する。続くステップｓ１１２６では、ステップｓ１１２５で角変位信号に変換された振れ検出信号を振れ補正量として設定する。そして、ステップｓ１１２７にて、ステップｓ１１２１〜ｓ１１２６までの処理をする毎に割り込みカウンタを１ずつカウントアップして、この割り込み処理を終了する。
【００３１】
以上説明したように、この一連の動作によって、全イメージサイズ１２０１から、例えば１２０２，１２０４のように標準イメージサイズを中央からずらして切り出すことで、通常の手持ちの撮影等の手ぶれ補正を可能としている。また、前記撮像素子１０２の切り出し位置を全エリア１２０１の中央の１２０３に固定することで、静止状態にある撮像装置の撮影画像が不用意に振れることを防止している。
【００３２】
また、この手ぶれ補正機能のオン状態、オフ状態の切り換えは、装置の操作スイッチ群１５１に備えられた手ぶれ補正機能オン／オフ切換えスイッチを操作することで、モード制御部１５２がカメラマイコン１３１内の補正系制御部１３０に制御命令を出力し、補正系制御部１３０が、モード制御部１５２からの制御命令に基づいて、前記撮像素子１０２の切り出し位置を可変するようにしていた振れ補正信号を撮像素子駆動回路１０４、メモリ制御回路１０６へと出力していた状態から、前記撮像素子１０２の切り出し位置を全エリア１２０１の中央の１２０３に固定する振れ補正信号に切り換える、あるいは、その逆の制御をすることで実現している。前記手ぶれ補正機能オン／オフ切換えスイッチは、メニュー画面内に備えられている場合もある。
【００３３】
なお、カメラマイコン１３１は、撮像素子駆動回路１０４の制御、露出制御、ホワイトバランス制御、変倍レンズ制御、オートフォーカス制御、手ぶれ補正制御等、カメラシステム全体の制御を行うが、従来例の説明を簡略化するために、ここでは振れ補正に関する部分のみ図示している。また、撮像装置に搭載される振れ補正機能として、少なくとも縦方向と横方向の二方向の振れ検出および振れ補正を行うが、二方向とも同様の動作が行われるので、従来例の説明を簡略化するために一方向の動作でのみその説明を代表した。
【００３４】
次に、前述した手ぶれ補正機能の効果をユーザーに確認してもらうための方法としての、販売店やショールーム等の展示場において行われているデモンストレーションについて説明する。
【００３５】
図９に、展示場でのデモンストレーションの形態例を示す。
【００３６】
図９（ａ）は、撮像装置を擬似的に振れのある状態にする装置に設置したデモンストレーション形態であり、同図（ａ）において、９０１は撮像装置であり、手ぶれ補正機能オン／オフ切換えスイッチ９０１ａを含む。９０２は撮像装置に擬似的な振れ状態を与えるための装置（以下、加振台）であり、撮像装置を固定する固定台９０２ａ、固定台９０２ａを上下（縦）方向に振るための回転軸９０２ｐ、固定台９０２ａを横方向に振るための回転軸９０２ｙを含んでいる。９０３は撮像装置９０１によって撮影される被写体である（この場合、被写体９０３を撮影することを前提としている）。
【００３７】
図９（ｂ）は、販売店の店員、あるいはユーザー自身が撮像装置９０１を操作して撮影を行うデモンストレーション形態で、同図（ｂ）において、９０４は撮像装置９０１を操作する撮影者である（この場合においても、撮影対象は被写体９０３を前提としている）。
【００３８】
また、前述したデモンストレーションの形態での撮像装置９０１の撮影画像は、撮像装置９０１本体に装備する表示装置、または外部モニターによって確認可能であり、図１０に撮影画像の変化の状態を示している。同図（ａ），（ｂ），（ｃ）において、１００１は撮影画像を表示する表示装置、９０３は撮像装置９０１によって撮影された被写体である。
【００３９】
次に、撮像装置を擬似的に振れのある状態にする加振台９０２に設置した場合のデモンストレーションの方法について説明する。
【００４０】
加振台９０２は、図９（ａ）に示すように、該固定台９０２ａが回転軸９０２ｐによって上下方向に、回転軸９０２ｙによって左右方向に振れるものであり、動作させると擬似的な手ぶれ状態を起こすことを可能としている装置である（両方同時に動作させると斜め方向に振れる）。
【００４１】
この加振台９０２に手ぶれ補正機能をオフ状態に設定した撮像装置９０１を設置し、加振台９０２を動作させることで、撮像装置９０１はあたかも手ぶれを起こしているかのような状態となり、図１０（ａ），（ｂ）に示すような像振れのある撮影画像となる。
【００４２】
次に、加振台９０２上にある撮像装置９０１の手ぶれ補正オン／オフスイッチ９０１ａをユーザーに操作してもらい、手ぶれ補正機能をオンにする。撮像装置９０１は、手ぶれ補正機能が働いて、図１０（ｃ）に示すような像振れの低減された撮影画像となる。
【００４３】
このように、撮影画像が表示装置１００１に出力されているので、ユーザーは容易に手ぶれ補正機能の効果を確認することができる。
【００４４】
次に、撮影者が撮像装置を操作した場合のデモンストレーションの方法について説明する。
【００４５】
図９（ｂ）に示すように、販売店の店員、もしくはユーザー自身が撮像装置９０１を手にとって、撮影をその場で行い、手ぶれ補正機能オン／オフ切換えスイッチ９０１ａの操作を行うことによって、手ぶれ補正機能オフ時に実際に手ぶれで像振れが生じている撮影画像と、手ぶれ補正機能オン時の手ぶれが補正されて像振れが低減した撮影画像を表示装置１００１で確認してもらうことによって、手ぶれ補正機能の効果を確認することが可能である。
【００４６】
【発明が解決しようとする課題】
しかしながら、図９（ａ）に示すようなデモンストレーション用の加振台９０２をメーカー側が販売店やショールーム向けに供給しようとすればコスト的にも非常に負担となるため、現実的には困難である。
【００４７】
したがって、手ぶれ補正機能の実際のデモンストレーションとしては、図９（ｂ）に示したように、撮像装置９０１を手持ちで撮影し、手ぶれ補正機能のオン／オフ切換え操作を行ったときの撮影画像の変化を見ることで手ぶれ補正機能の効果を確認することで行っているが、通常は撮像装置９０１の手ぶれ補正機能はオン状態が標準であり、ユーザーが手に取り、改めて手ぶれ補正機能をオフ状態に操作を行う頻度は低いうえ、販売店の店員が商品説明のたびに、手持ち撮影で手ぶれ補正機能の効果を実演するということも、効率的なデモンストレーションとはならないという欠点を有していた。
【００４８】
（発明の目的）
本発明の目的は、撮像装置を擬似的に振れのある状態にする為の特殊な装置を用いることなく、コストや実演の手間をかけなくても容易にユーザーが手ぶれ補正機能の動作中の効果を確認できるようなデモンストレーションを行える撮像装置を提供しようとするものである。
【００４９】
【課題を解決するための手段】
上記目的を達成するために、本発明は、撮像装置に加わる振れを検出する振れ検出手段と、擬似の振れ信号を生成する擬似振れ信号生成手段と、前記振れ検出手段よりの振れ検出信号もしくは前記擬似振れ信号生成手段よりの前記擬似の振れ信号に基づいて振れ補正信号を算出する演算手段と、前記演算手段により算出された前記振れ補正信号に基づき、画像の振れを補正する振れ補正手段と、前記演算手段への入力を、前記振れ検出信号と前記擬似の振れ信号のいずれかに切り換える入力切換手段と、外部操作により選択される撮像装置の動作モードが手ぶれ補正モードか手ぶれ補正デモモードかに応じて前記入力切換手段の切り換え制御を行う制御手段とを有する撮像装置とするものである。
【００５０】
上記構成によれば、撮像装置の動作モードが手ぶれ補正モードか手ぶれ補正デモモードかに応じて前記入力切換手段の切り換え制御を行うようにしている。詳しくは、動作モードが手ぶれ補正モード時には、振れ検出手段よりの振れ検出信号によって振れ補正信号が算出され、動作モードが手ぶれ補正デモモードに移行すると、擬似振れ信号生成手段により生成される擬似の振れ信号によって振れ補正信号が算出されるようにしている。
【００５１】
【発明の実施の形態】
以下、本発明を図示の実施の形態に基づいて詳細に説明する。
【００５２】
（実施の第１の形態）
図１は本発明の実施の第１の形態に係る撮像装置の回路構成を示すブロック図であり、同図において、１は音を収音するためのマイクロホン（以下、マイク）、２は前記マイク１からの出力信号の振幅を可変する可変利得増幅回路、３は前記可変利得増幅器２からの出力である音声信号の周波数帯を変換する周波数変換回路、４は前記周波数変換回路３からの出力の高域周波数帯の帯域制限を施すローパスフィルタ（以下、ＬＰＦ）、５は前記マイク１からＬＰＦ５により構成される音声入力部、６は振れ検出部１２１からの信号と音声入力部５からの信号とを切り換える入力切換回路である。
【００５３】
その他の、撮像レンズ１０１、撮像素子１０２、カメラ信号処理回路１０３、撮像素子駆動回路１０４、ラインメモリ１０５、メモリ制御回路１０６、文字列発生器１０７、加算器１０８、角速度センサ１２２、ＨＰＦ１２３、増幅器１２４、カメラマイコン１３１およびスイッチ群１５１、モード制御部１５２については、図１３の従来例と同一であるので同一符号を付し、その構成および動作に関する重複する説明は省略する。
【００５４】
次に、上記構成における、マイク１、可変利得増幅器２、周波数変換器３、ＬＰＦ４よりなる音声入力部５、および、入力切換回路６の動作について説明する。
【００５５】
マイク１は、撮像装置９０１に内蔵される撮影画像の音声を収音するための収音器である。このマイク１が収音した音声信号は、正規の音声信号処理部へ供給される一方で、振れ補正制御へ利用するためにも供給される。供給された音声信号は、可変利得増幅器２によって所定量増幅される。この可変利得増幅器２はモード制御部１５２からの制御命令によって、利得を切り換えることを可能としている。可変利得増幅器２の出力である音声信号の帯域は２０〜２００００Ｈｚであり、この帯域から手ぶれの周波数帯を取り出せるように、周波数変換器３によって低域周波数に周波数変換（例えば２〜２０００Ｈｚ）される。さらに、周波数変換された音声信号から手ぶれ補正では不要となる帯域をＬＰＦ４にて帯域制限が行われる。このＬＰＦ４の遮断周波数は例えば３０Ｈｚに設定されており、手ぶれ等の周波数に近似な周波数帯を得ることを可能としている。
【００５６】
ＬＰＦ４を通過した音声信号は入力切換回路６に入力され、モード制御部１５２からの制御命令（切り換え命令）にしたがって、該入力切換回路６からカメラマイコン１３１に対して、通常の振れ補正を行う振れ検出部１２１の出力、または、擬似的な振れ補正を行う音声入力部５の出力が送出される。具体的には、通常撮影時や振れ補正デモモードとなっていないときは、通常の振れ補正機能の動作を行う為に振れ検出部１２１からの信号がカメラマイコン１３１へ入力し、振れ補正デモモードとなった場合は、音声信号入力部５からの信号がカメラマイコン１３１へ入力するように、モード制御部１５２によって切り換えられる。なお、入力切換回路６はハードウェア的に示されているが、マイコン１内のソフトウェア的処理で実現することも可能である。
【００５７】
次に、図２を用いて、音声信号について説明する。
【００５８】
図２（ａ）は、縦軸に周波数変換後の音声レベル、横軸に時間をとってグラフ化したものであり、前述のマイク１の出力を増幅後、周波数変換器３によって周波数変換した音声信号である。この状態では、未だ、手ぶれ周波数の周波数以上の周波数が含まれているため、さらに帯域制限を行ってより手ぶれ周波数帯に近い信号にする。
【００５９】
図２（ｂ）は、縦軸に帯域制限後の音声レベル、横軸に時間をとってグラフ化したものであり、周波数変換後の音声信号をＬＰＦ４によって帯域制限を施した音声信号である。ＬＰＦ４によって帯域制限がかけられたため、高域成分がほとんどなくなり、擬似的な手ぶれ信号として用いることができる。
【００６０】
また、図２（ｃ）は、縦軸に利得制御後の音声レベル、横軸に時間をとってグラフ化したものであり、モード制御部１５２からの制御命令によって利得を下げた可変利得増幅器２からの出力である。この利得を下げた信号についても、擬似的な手ぶれ信号として用いる。
【００６１】
前記音声入力部５によって、マイク１の収音する音声信号は、所定の増幅と周波数変換と帯域制限が施された擬似振れ信号として生成され、入力切換回路６に入力される。入力切換回路６は、モード制御部１５２からの制御命令によって、通常の振れ補正を行う振れ検出部１２１の出力と擬似的な振れ補正を行う音声入力部５からの出力を切り換えてカメラマイコン１３１へ入力する。具体的には、通常撮影時や振れ補正デモモードとなっていない場合は、振れ検出部１２１からの出力がカメラマイコン１３１に入力され、通常の振れ補正機能の動作を実行させる。また、振れ補正デモモードとなった場合には、音声入力部５からの出力をカメラマイコン１３１に入力するように切り換え、振れ補正デモモード時の振れ補正機能の動作を実行させる。
【００６２】
上記実施の第１の形態では、カメラマイコン１３１に入力される信号を、振れ検出部１２１からの振れ検出出力とするか、音声入力部５からの音声出力による擬似振れ信号とするかについての切り換えであり、カメラマイコン１３１内で実行される振れ補正機能の動作については、従来例と同様なので、その詳細説明は省略する。
【００６３】
次に、本発明の実施の第１の形態において、撮像装置による手ぶれ補正機能のデモンストレーション時について、図１および図３を用いて説明する。なお、図３において、従来例と重複する部分については同一符号を付している。
【００６４】
図３（ａ）は、販売店の店頭での撮像装置の展示状態を示しており、９０１は撮像装置、９０１ａは手ぶれ補正機能オン／オフ切換えスイッチ、９０３は被写体像、３０１は撮像装置の展示台である。
【００６５】
この場合には、撮像装置９０１は加振台等の特殊な台に設置する必要はなく、販売店の陳列棚や三脚等の固定台に設置するだけでよい。ここで、固定台である展示台３０１に設置された撮像装置９０１は静止状態が続くため、静止状態の判定によって手ぶれ補正モードが静止モードへ移行し、手ぶれ補正機能が一時的にオフ状態となっている。
【００６６】
このように設置された撮像装置９０１で手ぶれ補正機能のデモンストレーションを行うためには、最初に、撮像装置９０１を手ぶれ補正機能デモモードに設定する必要がある。本実施形態では、撮像装置のスイッチ類が操作されない状態が、電源投入から所定の時間（例えば５分間）継続したことで、デモモードに移行するようにしている。なお、別の手法として、手ぶれ補正機能オン／オフ切換えスイッチ９０１ａを所定の時間以上（例えば１秒以上）長押しを行うことや、メニュー設定の手ぶれ補正機能の下位層に手ぶれオン／オフの他に、手ぶれ補正デモモードの項を設け、設定操作することで実現してもよい。
【００６７】
前述のようにして手ぶれ補正デモモードになると、図１に示す振れ検出部１２１の出力側を選択している入力切換回路６を、音声入力部５の出力側に切り換えるように、モード制御部１５２が入力切換回路６に制御命令を出す。つまり、通常は振れ検出部１２１の出力によって手ぶれ補正機能を動作させていた撮像装置９０１は、振れ補正デモモードとなった時点で、音声入力部５内のマイク１からの入力信号を擬似的な振れ信号として入力することになる。したがって、カメラマイコン１３１では、静止状態判定によって、静止モードとなっていた状態から手ぶれ補正モードへとそのモードを切り換え、入力される擬似的な振れ信号に基づき、撮像素子駆動回路１０４、メモリ制御回路１０６に制御命令を出力する。
【００６８】
この制御命令に基づいて、撮像素子１０２の切り出しエリアをＶ方向、Ｈ方向に移動させることで、通常振れ補正が行われるのだが、撮像装置９０１は固定されているため、撮影画像は擬似的な手ぶれがある状態となる。この時の撮像装置９０１の撮影画像は該装置本体に接続された表示装置、あるいは該装置本体に備える表示装置で確認が可能である。
【００６９】
図３（ｂ）は、撮像装置９０１に接続された表示装置を示した図であり、同図（ｂ）において、１００１は撮像装置９０１の撮影画像を映し出す表示装置、９０３は撮像装置９０１によって撮影された被写体像、３０２は手ぶれ補正機能のデモンストレーションを知らせるためのメッセージ表示である。
【００７０】
撮像装置９０１の撮影している被写体像は、前述した擬似的な手ぶれのある状態で撮影されているため、表示装置１００１には振れた被写体像となって現れる。また、現在の撮像装置９０１の状態が手ぶれ補正機能がオフ状態と対応している旨のメッセージ「デモモード  手ぶれ補正オフ」等を表示することで、ユーザーに擬似的な手ぶれのある撮影画像と認識させることが可能である。この表示は、従来例で説明した、文字列発生器１０７に設定されており、モード制御部１５２の制御命令に基づいて、撮影画像に加算器１０８を介してミックスされたものである。
【００７１】
そして、前述した擬似的な手ぶれのある状態を所定の時間（例えば５秒間）実演した後、撮像装置９０１においては、モード制御部１５２が音声信号を基にする擬似的な振れ信号の振幅レベルを変化させることによって擬似的な手ぶれの低減された状態とする。この時の擬似的な手ぶれ信号は図２（ｃ）に示す状態であり、撮像装置９０１での撮影画像は図３（ｃ）に示す状態となる。
【００７２】
図３（ｃ）において、表示装置１００１には、被写体像９０３の振れが低減した状態で映し出される。また、現在の撮像装置９０１の状態が手ぶれ補正機能がオン状態と対応している旨のメッセージである「デモモード  手ぶれ補正オン」等を表示することで、ユーザーに擬似的な手ぶれが補正された撮影画像と認識させることが可能である。このメッセージ表示３０３も、前述の通りの動作によって表示される。
【００７３】
図４は、振れ補正デモモードへの移行時のモード制御部１５２の処理を表すフローチャートである。
【００７４】
同図において、ステップｓ４０１では、撮像装置９０１のスイッチ群１５１の監視をしており、電源投入後、あるいは本体スイッチが操作されてから５分間、本体のいずれのスイッチも操作されていないかどうかを監視している。操作のない場合（ｙｅｓ）はステップｓ４０３へ進む。この時、モード制御部１５２からカメラマイコン１３１へデモモードの開始であることを通知する。また、スイッチ操作があった場合（ｎｏ）はステップｓ４０２へ進み、ここでは操作されたスイッチに応じた動作モードを設定し、ステップｓ４０１へ戻って操作スイッチの監視を継続する。
【００７５】
電源投入後、あるいは操作スイッチが操作されてから５分間、本体のいずれのスイッチも操作されていないとしてステップｓ４０３へ進むと、撮像装置９０１の備える機能のデモンストレーション処理を行う。具体的には、プログラムＡＥ、フェード等の効果を順次実演するのである。そして、次のステップｓ４０４にて、手ぶれ補正デモモードになったか否かを判定し、手ぶれ補正デモモードになった場合（ｙｅｓ）はステップｓ４０５へ進み、手ぶれ補正デモモードでなかった場合（ｎｏ）はステップｓ４１４に進む。
【００７６】
次に、上記ステップｓ４０４にて手ぶれ補正デモモードでなかった場合（ｎｏ）について、先に説明する。
【００７７】
手ぶれ補正デモモードでないとしてステップｓ４１４へ進むと、撮像装置９０１の備えるその他の機能のデモンストレーションを行う。具体的には、プログラムＡＥ、フェード等の効果を実演する。この処理が終了するとステップｓ４１５へ進み、デモンストレーション実演中に本体スイッチの操作有無を監視する。デモンストレーション実行中に本体スイッチが操作されていない場合（ｎｏ）はステップｓ４０３に戻り、デモモードを継続する。一方、デモンストレーション実行中に本体スイッチが操作された場合（ｙｅｓ）はステップｓ４１６へ進み、実行されていたデモモードを解除する。そして、次のステップｓ４１７にて、デモモード解除後に再度本体スイッチの操作有無を確認し、デモモード解除後に本体スイッチが操作された場合（ｙｅｓ）はステップｓ４１８へ進み、操作されたスイッチに応じた動作モードを設定し、ステップｓ４０１へ戻って本体スイッチの監視を継続する。また、ステップｓ４１７でデモモード解除後に本体スイッチが操作されていない場合（ｎｏ）は、ステップｓ４０１へ戻って操作スイッチの監視を継続する。
【００７８】
次に、上記ステップｓ４０４にて手ぶれ補正デモモードであった場合について説明する。
【００７９】
手ぶれ補正デモモードであった場合はステップｓ４０５へ進み、撮像装置９０１の手ぶれ補正に関するデモンストレーションを行う。この際、カメラマイコン１３１に入力される振れ検出信号として、振れ検出部１２１と音声入力部５との入力信号の切り換えを行う。具体的には、振れ検出部１２１の出力が入力されていた状態から、音声入力部５の出力に切り換えることで、撮像装置９０１が、販売店の展示台で静止状態であったものに擬似的な手ぶれを起こすように変更するための準備である。その処理が終わると、ステップｓ４０６へ進む。
【００８０】
ステップｓ４０６へ進むと、マイク１の入力信号を増幅する可変利得増幅器２の利得を調整する。具体的には可変利得増幅器２の利得を上げることによって、擬似的な振れ信号の振幅を大きくし、モニター上に映し出されている静止状態時の撮影画像に、擬似的な手ぶれのある状態を作り出すのである。処理後はステップｓ４０７へ進み、撮影画像に擬似的な手ぶれ補正機能オフ状態をメッセージ表示する。詳しくは、音声入力部５の出力信号がカメラマイコン１３１に擬似振れ信号として入力され、モニター上で像振れした画像に合わせて、撮像装置９０１が手ぶれ補正機能オフの場合であることを表示し、ユーザーに通知する。また、この表示は、撮像装置９０１本体に備える表示装置１００１にも表示（図３（ｂ）参照）されるようになっている。処理後はステップｓ４０８に進む。ステップｓ４０８では、ステップｓ４０６の処理で実現される擬似的な手ぶれ補正機能のオフ状態の実演時間の判定を行う。具体的には、手ぶれ補正機能オフ状態のデモモードとなってからの所定時間（例えば５秒）が経過したか否かを判定し、所定時間経過していれば（ｙｅｓ）ステップｓ４０９に進み、所定時間経過していなければ（ｎｏ）ステップｓ４１１へ進む。
【００８１】
手ぶれ補正デモモードとなってから所定の時間経過していない（ｎｏ）としてステップｓ４１１へ進むと、手ぶれ補正機能オフ状態のデモンストレーションの途中に、本体スイッチ群１５１が操作されていないか、つまり各種スイッチが操作されていないかを判定し、スイッチ類の操作がなければ（ｎｏ）、ステップｓ４０８へ戻り、デモモードを継続する。また、スイッチ類の操作があれば（ｙｅｓ）、前述したステップｓ４１６〜ｓ４１８の処理を行う。
【００８２】
上記ステップｓ４０８にて手ぶれ補正デモモードとなってから所定の時間経過したと判定した場合（ｙｅｓ）には、ステップｓ４０９へ進み、マイク１の入力信号を増幅する可変利得増幅器２の利得を調整する。具体的には、可変利得増幅器２の利得を下げることによって、擬似的な振れ検出信号の振幅を小さくし（図２（ｃ）参照）、モニター上に映し出されている擬似的な手ぶれのある撮影画像が擬似的な手ぶれ補正機能をオンした状態とする。この処理後はステップｓ４１０へ進み、擬似的な手ぶれのある撮影画像が擬似的な手ぶれ補正機能オン状態をメッセージ表示する。つまり、モニター上に映し出されている擬似的な手ぶれのある撮影画像が擬似的な振れ補正機能をオンした状態になることに合わせて、手ぶれ補正オン表示を行い、像振れが低減されたことをユーザーに通知する。また、この表示は、撮像装置９０１本体に備える表示装置１００１にも表示されるようになっている。
【００８３】
次のステップｓ４１２では、ステップｓ４０９の処理で実現される擬似的な手ぶれ補正機能のオン状態の実演時間の判定を行う。具体的には、擬似的な手ぶれ補正機能オン状態のデモモードとなってからの所定時間（例えば５秒）が経過したか否かを判定し、所定時間経過していればステップｓ４１５に進む。また、所定時間経過していなければステップｓ４１３へ進み、手ぶれ補正機能オン状態のデモンストレーションの途中に、操作スイッチ群１５１が操作されていないかを監視し、各種スイッチが操作されていないかを判定して、本体スイッチが操作されていなかった場合（ｎｏ）は、ステップｓ４１２へ戻り、デモモードを継続する。また、ステップｓ４１３で本体スイッチが操作されていた場合（ｙｅｓ）は、前述したステップｓ４１６〜ｓ４１８の処理を行う。
【００８４】
このように、マイク１から入力された音声信号を擬似的な装置の振れ信号とみなすことで、撮像装置９０１が販売店やショールームの展示台等に置かれた静止状態であっても該撮像装置に擬似的な手ぶれが生じた状態を作り出すことを可能としている。そして、振れ補正デモモードとなっている間は、所定の時間（例えば、振れ補正機能のオフ状態を５秒、振れ補正機能のオン状態を５秒）ごとに可変利得増幅器２の利得を制御して、擬似的な撮像装置の振れ信号の利得を可変することで、擬似的手ぶれがある状態と擬似的な手ぶれが低減された状態とを交互に演出できるようになり、その時の撮像装置の映像出力をモニターするだけで、手ぶれ補正機能のオフ状態からオン状態、オン状態からオフ状態の効果を確認することができる。
【００８５】
また、視覚的効果だけでなく、手ぶれ補正機能のオン／オフに対応するようなメッセージ表示をすることによって、認知度がより上がることになる。このメッセージ表示は、撮像装置本体の備えるビューファインダー等にも表示されるので、モニターに接続されていない状態でも確認が可能である。
【００８６】
また、既存のマイク１から入力された音声信号を、擬似的な装置の振れ信号として生成する構成にしているので、新たに擬似的な装置の振れ信号を生成する構成を具備する場合に比べ、コスト面で有利なものとなる。
【００８７】
（実施の第２の形態）
次に、本発明の実施の第２の形態に係る撮像装置について説明する。
【００８８】
上記実施の第１の形態では、撮像装置９０１が、手ぶれ補正デモモードとなった場合に、カメラマイコン１３１に入力する振れ検出部１２１の振れ検出信号を、音声入力部５の出力による擬似的な振れ検出信号に切り換え、その擬似的な振れ信号に基づいてカメラマイコン１３１内で振れ補正演算処理を施し、図１に示す、カメラ信号処理回路１０３、撮像素子駆動回路１０４、ラインメモリ１０５およびメモリ制御回路１０６で構成される振れ補正手段を制御することで、擬似的な振れのある撮影画像を生成し、その状態を擬似的な手ぶれ補正オフ状態としている。また、撮像装置９０１が擬似的な手ぶれ補正オフ状態にあるときに、音声入力部５内の可変利得増幅器２の利得を制御することで、擬似的な振れ信号の振幅を下げ、擬似的な手ぶれ補正オン状態として、２種類の撮影画像を所定の時間間隔で交互に切り換え、撮像装置９０１の搭載する手ぶれ補正機能の効果が確認できるデモンストレーションについて説明している。
【００８９】
これに対し、本発明の実施の第２の形態においては、角度センサ等の振れ検出器の出力のみを用いたデモンストレーションの場合について説明するものである。
【００９０】
図５は本発明の実施の第２の形態に係る撮像装置１０９の回路構成を示すブロック図であり、図１と同じ部分は同一の符号を付し、その説明は省略する。
【００９１】
同図において、１２１は振れ検出部であり、角速度センサ１２２、ＨＰＦ１２３、利得を可変とする可変利得増幅器１０を含んでいる。
【００９２】
その他の、撮像レンズ１０１、撮像素子１０２、カメラ信号処理回路１０３、撮像素子駆動回路１０４、ラインメモリ１０５、メモリ制御回路１０６、文字列発生器１０７、加算器１０８、カメラマイコン１３１およびスイッチ群１５１、モード制御部１５２については、図１３の従来例と同一なので同一符号を付してその構成および動作に関する重複する説明は省略する。
【００９３】
上記構成における撮像装置において、振れ検出部１２１内の可変利得増幅器１０の動作について説明する。
【００９４】
角速度センサ１２２では撮像装置の振れが検出され、検出された振れ信号から直流成分を除去するために、ＨＰＦ１２３を通して、所定の帯域制限が施される。このようにして所定の帯域制限されたＨＰＦ１２３を経た振れ検出信号は、可変利得増幅器１０によって、所定量増幅される。この可変利得増幅器１０はモード制御部１５２からの制御命令によって、利得を切り換えることを可能としており、装置の動作モードが振れ補正デモモードであった場合に、通常の振れ補正モードの時よりも、利得を上げるように動作を行う。
【００９５】
具体的には、装置が振れ補正デモモードの時は、モード制御部１５２の出力によって可変利得増幅器１０の利得を上げ、角速度センサ１２２の揺らぎ出力および、展示されている場所の振動を検出して、その出力をカメラマイコン１３１に入力する。入力された角速度センサ１２２の揺らぎ出力および、展示されている場所の振動成分によって得られた振れ検出信号に基づき、カメラマイコン１３１内の処理によって、振れ補正機能の動作を行う。
【００９６】
振れ補正デモモードとなっていない場合は、可変利得増幅器１０の利得可変は行わず、振れ検出部１２１の出力をカメラマイコン１３１に入力し、通常の振れ補正機能の動作を行う。この場合は、装置が静止状態にあるので、振れ検出出力の振幅は小さく、周波数成分も十分に低いので、静止状態判定によって、手ぶれ補正機能が一時的にオフ状態とされる。
【００９７】
本発明の実施の第２の形態では、カメラマイコン１３１に入力される信号が、振れ検出部１２１からの振れ検出出力を通常状態とするか、可変利得増幅器１０の利得を上げて振れ補正デモモードに対応した出力に切り換えるかであり、カメラマイコン１３１内で実行される振れ補正機能の動作については、従来例と同様なのでその詳細の説明は省略する。
【００９８】
次に、本発明の実施の第２の形態に係る撮像装置による手ぶれ補正機能のデモンストレーションについて、前述の図３および図５を用いて説明する。
【００９９】
図３（ａ）は販売店の店頭での撮像装置の展示状態を示しており、この場合には、撮像装置９０１は加振台等の特殊な台に設置する必要はなく、販売店の陳列棚や三脚等の固定台に設置するだけでよい。ここで、固定台に設置された撮像装置９０１は静止状態が続くため、静止状態判定によって手ぶれ補正モードが静止モードへ移行し、手ぶれ補正機能が一時的にオフ状態となっている。
【０１００】
このように設置された撮像装置９０１で手ぶれ補正機能のデモンストレーションを行うためには、最初に撮像装置９０１を手ぶれ補正機能デモモードに設定する必要がある。本実施形態では、装置のスイッチ類が操作されない状態が、電源投入から所定の時間（例えば５分間）継続したことでデモモードに移行することを想定しているが、これに限るものではなく別の手法として、手ぶれ補正機能オン／オフ切換えスイッチを所定の時間以上（例えば１秒以上）長押しを行うことや、メニュー設定の手ぶれ補正機能の下位層に手ぶれオン／オフの他に、手ぶれ補正デモモードの項を設け、設定操作することで実現してもよい。
【０１０１】
手ぶれ補正デモモードになると、撮像装置９０１では、振れ検出部１２１内の可変利得増幅器１０の利得をモード制御部１５２が制御して切り換える。つまり、通常は振れ検出部１２１の出力によって手ぶれ補正機能を動作させていた撮像装置９０１は、振れ補正デモモードとなった時点で、可変利得増幅器１０の利得を上げて、角速度センサ１２２の揺らぎ出力や、該装置の設置場所の振動を振れ検出信号としてカメラマイコン１３１に入力することになる。カメラマイコン１３１は、静止状態判定によって静止モードとなっていた状態から手ぶれ補正モードへと切り換わり、角速度センサ１２２の揺らぎ出力および該装置の設置場所の振動である振れ検出信号が入力されるので、この振れ検出信号に基づき、撮像素子駆動回路１０４、メモリ制御回路１０６に制御命令を出力する。
【０１０２】
上記の制御命令に基づいて、撮像素子１０２の切り出しエリアがＶ方向、Ｈ方向に移動させられて通常の振れ補正が行われるのだが、撮像装置９０１が固定されているため、撮影画像は擬似的な手ぶれがある状態となる。この時の撮像装置９０１の撮影画像は該装置本体に接続された表示装置１００１、あるいは撮像装置本体に備える表示装置で確認が可能である。
【０１０３】
図３（ｂ）が、撮像装置９０１に接続された表示装置１００１を示した図である。
【０１０４】
撮像装置９０１が撮影している被写体像は、前述した擬似的な手ぶれのある状態で撮影されているため、表示装置１００１には振れた被写体像９０３となって現れる。また、現在の撮像装置９０１の状態が手ぶれ補正機能がオフ状態と対応している旨のメッセージである「デモモード  手ぶれ補正オフ」等を表示することで、ユーザーに擬似的な手ぶれのある撮影画像と認識させることが可能である。
【０１０５】
そして、前述した擬似的な手ぶれのある状態を所定の時間（例えば５秒間）実演した後、撮像装置９０１においては、モード制御部１５２が可変利得増幅器１０の利得を可変させることによって手ぶれ検出信号の振幅レベルを変化させて擬似的な手ぶれの低減された状態とする。この時の撮像装置９０１の撮影画像を示したのが、図３（ｃ）であり、表示装置１００１には、撮像装置９０１の撮影する被写体像９０３の像振れが低減した状態で映し出される。また、現在の撮像装置９０１の状態が手ぶれ補正機能がオン状態と対応している旨のメッセージ「デモモード  手ぶれ補正オン」等を表示することで、ユーザーに擬似的な手ぶれが補正された撮影画像と認識させることが可能である。
【０１０６】
図６は、本発明の実施の第２の形態に係る撮像装置の、振れ補正デモモードへの移行時のモード制御部１５２の処理を表すフローチャートであり、上記実施の第１の形態での同処理（図４）と同じ処理を行う部分には、同一のステップ番号を付してある。
【０１０７】
同図において、ステップｓ４０１では、撮像装置９０１のスイッチ群１５１の監視をしており、電源投入後、あるいは本体スイッチが操作されてから５分間、本体のいずれのスイッチも操作されていないかどうかを監視している。操作のない場合（ｙｅｓ）はステップｓ４０３へ進む。この時、モード制御部１５２からカメラマイコン１３１へデモモードの開始であること通知する。また、スイッチ操作があった場合（ｎｏ）はステップｓ４０２へ進み、ここでは操作されたスイッチに応じた動作モードを設定し、ステップｓ４０１へ戻って操作スイッチの監視を継続する。
【０１０８】
電源投入後、あるいは操作スイッチが操作されてから５分間、本体のいずれのスイッチも操作されていないとしてステップｓ４０３へ進むと、撮像装置９０１の備える機能のデモンストレーション処理を行う。具体的には、プログラムＡＥ、フェード等の効果を順次実演するのである。そして、次のステップｓ４０４にて、手ぶれ補正デモモードになったか否かを判定し、手ぶれ補正デモモードになった場合（ｙｅｓ）はステップｓ４０５へ進み、手ぶれ補正デモモードでなかった場合（ｎｏ）はステップｓ４１４に進む。
【０１０９】
次に、上記ステップｓ４０４にて手ぶれ補正デモモードでなかった場合（ｎｏ）について、先に説明する。
【０１１０】
手ぶれ補正デモモードでないとしてステップｓ４１４へ進むと、撮像装置９０１の備えるその他の機能のデモンストレーションを行う。具体的には、プログラムＡＥ、フェード等の効果を実演する。この処理が終了するとステップｓ４１５へ進み、デモンストレーション実演中に本体スイッチの操作有無を監視する。デモンストレーション実行中に本体スイッチが操作されていない場合（ｎｏ）はステップｓ４０３に戻り、デモモードを継続する。一方、デモンストレーション実行中に本体スイッチが操作された場合（ｙｅｓ）はステップｓ４１６へ進み、実行されていたデモモードを解除する。そして、次のステップｓ４１７にて、デモモード解除後に再度本体スイッチの操作有無を確認し、デモモード解除後に本体スイッチが操作された場合（ｙｅｓ）はステップｓ４１８へ進み、操作されたスイッチに応じた動作モードを設定し、ステップｓ４０１へ戻って操作スイッチの監視を継続する。また、ステップｓ４１７でデモモード解除後に本体スイッチが操作されていない場合（ｎｏ）は、ステップｓ４０１へ戻って操作スイッチの監視を継続する。
【０１１１】
次に、上記ステップｓ４０４にて手ぶれ補正デモモードであった場合について説明する。
【０１１２】
手ぶれ補正デモモードであった場合はステップｓ６０１へ進み、撮像装置９０１の手ぶれ補正に関するデモンストレーションの処理を行う。この処理によって、カメラマイコン１３１に入力される振れ検出部１２１内の可変利得増幅器１２３の利得を可変する。具体的には、撮像装置９０１が販売店の展示台で置かれた静止状態であっても、振れ検出部１２１の出力振幅を上げることによって振れ検出信号が通常の撮影時に近似した出力となるようにし、擬似的な振れが検出されたようにすることで、擬似的な手ぶれを起こすように変更するための準備である。この処理が終わるとステップｓ４０７へ進み、撮影画像に擬似的な手ぶれ補正機能オフ状態をメッセージ表示する。詳しくは、音声入力部５の出力信号がカメラマイコン１３１に擬似振れ信号として入力され、モニター上で像振れした画像に合わせて、撮像装置９０１が手ぶれ補正機能オフの場合であることを表示し、ユーザーに通知する。また、この表示は、撮像装置９０１本体に備える表示装置１００１にも表示（図３（ｂ）参照）されるようになっている。処理後はステップｓ４０８に進む。
【０１１３】
ステップｓ４０８では、ステップｓ６０１の処理で実現される擬似的な手ぶれ補正機能のオフ状態の実演時間の判定を行う。具体的には、手ぶれ補正機能オフ状態のデモモードとなってからの所定時間（例えば５秒）が経過したか否かを判定し、所定時間経過していれば（ｙｅｓ）ステップｓ６０２に進み、所定時間経過していなければ（ｎｏ）ステップｓ４１１へ進む。
【０１１４】
手ぶれ補正デモモードとなってから所定の時間経過していない（ｎｏ）としてステップｓ４１１へ進むと、手ぶれ補正機能オフ状態のデモンストレーションの途中に、本体スイッチ群１５１が操作されていないか、つまり各種スイッチが操作されていないかを判定し、スイッチ類の操作がなければ（ｎｏ）、ステップｓ４０８へ戻り、デモモードを継続する。また、スイッチ類の操作があれば（ｙｅｓ）、前述したステップｓ４１６〜ｓ４１８の処理を行う。
【０１１５】
また、上記ステップｓ４０８にて手ぶれ補正デモモードとなってから所定の時間経過したと判定した場合（ｙｅｓ）には、ステップｓ６０２へ進み、角速度センサ１２２の入力信号を増幅する可変利得増幅器１０の利得を調整する処理を行う。具体的には、可変利得増幅器１０の利得を下げることによって、振れ検出信号の振幅を小さくし、モニター上に映し出されている擬似的な手ぶれのある撮影画像が擬似的な手ぶれ補正機能をオンした状態とするための処理を行う。処理後はステップｓ４１０へ進み、擬似的な手ぶれのある撮影画像が擬似的な手ぶれ補正機能オン状態をメッセージ表示する。つまり、モニター上に映し出されている擬似的な手ぶれのある撮影画像が擬似的な振れ補正機能をオンした状態になることに合わせて、手ぶれ補正オン表示を行い、像振れが低減されたことをユーザーに通知する。また、この表示は、撮像装置９０１本体に備える表示装置１００１にも表示されるようになっている。
【０１１６】
次のステップｓ４１２では、ステップｓ６０２の処理で実現される擬似的な手ぶれ補正機能のオン状態の実演時間の判定を行う。具体的には、擬似的な手ぶれ補正機能オン状態のデモモードとなってからの所定時間（例えば５秒）が経過したか否かを判定し、所定時間経過していればステップｓ４１５に進む。また、所定時間経過していなければステップｓ４１３へ進み、手ぶれ補正機能オン状態のデモンストレーションの途中に、操作スイッチ群１５１が操作されていないかを監視し、各種スイッチが操作されていないかを判定して、本体スイッチが操作されていなかった場合（ｎｏ）は、ステップｓ４１２へ戻り、デモモードを継続する。また、ステップｓ４１３で本体スイッチが操作されていた場合（ｙｅｓ）は、前述したステップｓ４１６〜ｓ４１８の処理を行う。
【０１１７】
このように、角速度センサ１２２の揺らぎ出力や撮像装置９０１の設置された場所の振動による振れ検出信号を装置の擬似的な振れ信号とみなすことで、撮像装置９０１が販売店やショールームの展示台等に置かれた静止状態であっても該撮像装置９０１にて擬似的な手ぶれが生じた状態を作り出すことを可能としている。そして、振れ補正デモモードとなっている間は、所定の時間（例えば、振れ補正機能のオフ状態を５秒、振れ補正機能のオン状態を５秒）ごとに可変利得増幅器１０の利得を制御して、擬似的な撮像装置の振れ検出信号の利得を可変することで、擬似的手ぶれがある状態と擬似的な手ぶれが低減された状態とを交互に演出できるようになり、その時の撮像装置の映像出力をモニターするだけで、手ぶれ補正機能のオフ状態からオン状態、オン状態からオフ状態の効果を確認することができる。
【０１１８】
また、視覚的効果だけでなく、手ぶれ補正機能のオン／オフに対応するようなメッセージ表示をすることによって、認知度がより上がることになる。このメッセージ表示は、撮像装置本体の備えるビューファインダー等にも表示されるので、モニターに接続されていない状態でも確認が可能である。
【０１１９】
また、振れ検出部１２１内の既存の角速度センサ１２２の出力（揺らぎ出力や撮像装置９０１の設置された場所の振動による振れ検出信号）を、擬似的な装置の振れ検出信号として生成する構成にしているので、新たに擬似的な装置の振れ検出信号を生成する構成を具備する場合に比べ、コスト面で有利なものとなる。
【０１２０】
（実施の第３の形態）
上記実施の第１および第２の形態では、撮像装置９０１に具備された振れ補正手段（カメラ信号処理回路１０３、撮像素子駆動回路１０４、ラインメモリ１０５、メモリ制御回路１０６で構成される）に、撮像素子１０２の全エリアから標準放送方式に対応したサイズのエリアを切り出し、そのエリアを振れ検出部の振れ検出信号に基づいて移動させる、所謂電子式の構成による手ぶれ補正機能のデモンストレーションについて説明したが、本発明の実施の第３の形態においては、光学式の振れ補正手段を用いた場合のデモンストレーションについて説明する。
【０１２１】
図７は本発明の実施の第３の形態に係る撮像装置の回路構成を示すブロック図であり、前述の図１や図５と同じ部分には同一の符号を付し、その説明は省略する。
【０１２２】
図７において、本発明の実施の第３の形態に係る撮像装置９０１は、振れ補正系のシフトレンズ７０１を含む撮影レンズ１０１と、該撮影レンズ１０１からの被写体像が結像されるＣＣＤ等の撮像素子１０２と、該撮像素子１０２からの出力に所定の信号処理を施して規格化された映像信号に変換するカメラ信号処理回路１０３と、映像信号に文字情報を出力する文字列発生器１０７と、映像信号に文字情報をミックスする加算器１０８と、振れ検出部１２１（装置の振れを検出する角速度センサ１２２、該角速度センサ１２２の出力から直流成分を除去するＨＰＦ１２３、該ＨＰＦ１２３からの出力を所定量増幅する増幅器１０より構成される）、該振れ検出部１２１からの出力に所定の信号処理を施すカメラマイコン１３１と、該カメラマイコン１３１からの出力をアナログ信号に変換するＤ／Ａ変換器７０７と、前記撮影レンズ１０１に含まれるアクチュエータ７０２の駆動信号を発する駆動回路７０４と、前記撮影レンズ１０１に含まれる位置検出センサ７０３からの出力を所定量増幅する増幅器７０５と、前記Ｄ／Ａ変換器７０７からの出力と前記増幅器７０５からの出力とを加算する加算器７０６と、装置のスイッチ操作等による動作モードを制御するモード制御部１５２と、装置を操作するスイッチ群１５１とから構成されている。
【０１２３】
上記の構成において、角速度センサ１２２にて装置の振れに基づいた信号が出力され、その角速度センサ１２２の出力からＨＰＦ１２３にて直流成分を除去された後、増幅器１０により所定量増幅される。つまり、角速度センサ１２２にて検出される振れ検出信号が所定の帯域制限と増幅が施された振れ検出信号として振れ検出部１２１内で生成され、カメラマイコン１３１に入力される。カメラマイコン１３１に入力された振れ検出信号は、振れ補正制御量を算出するために、所定の信号処理が行われる。前記所定の信号処理については後述する。
【０１２４】
次いで、カメラマイコン１３１によって算出された振れ補正制御量（ＰＷＭ出力として出力される）はＤ／Ａ変換器７０７でデジタル信号からアナログ信号に変換された後、加算器７０６に入力され、増幅器７０５を介して供給されるシフトレンズ７０１の位置検出センサ７０３からのフィードバック信号と加算される。そして、加算器７０６からの出力信号が駆動回路７０４に供給され、該駆動回路７０４からアクチュエータ７０２に駆動信号が出力されてシフトレンズ７０１の駆動制御が行われる。
【０１２５】
ここで、シフトレンズ７０１が駆動制御されて、光軸を偏向する際の動作について説明する。
【０１２６】
アクチュエータ７０２、位置検出センサ７０３、駆動回路７０４、増幅器７０５、加算器７０６は閉ループを構成しており、加算器７０６の出力によって、駆動回路７０４がアクチュエータ７０２に駆動信号を供給し、その駆動信号によって、シフトレンズ７０１が駆動制御される。つまり、シフトレンズ７０１が光軸ｃに対して垂直な平面内（矢印ｂで示す方向）に移動する。矢印ｂの方向に移動したシフトレンズ７０１の移動量は位置検出センサ７０３によって検出され、その検出出力を増幅して、加算器７０６に供給される構成になっている。この加算器７０６には、Ｄ／Ａ変換器７０７を介してカメラマイコン１３１から振れ補正制御量（振れ補正信号）が供給されているので、この振れ補正信号が零になるように、シフトレンズ７０１は光軸ｃに対して垂直な平面内（矢印ｂで示す方向）に二次元的に移動させられることになる。このようにシフトレンズ７０１が移動することによって、振れを抑制する方向に光軸ｃが撮像素子１０２の撮像面上で光軸ｃ’に偏向されることになる。したがって、振れ検出部１２１の検出する振れ検出信号が連続して入力されれば、シフトレンズ７０１は光軸ｃに対して垂直な平面内（矢印ｂで示す方向）で振れを抑制する方向に移動させられることになる。
【０１２７】
また、カメラマイコン１３１内の出力切換器７０８は、振れ補正信号を、振れ検出部１２１に基づく信号と振れ補正信号振幅の中心値とに切り換える処理を行うものであり、手ぶれ補正機能がオフとなった場合に振れ補正信号の振幅中心にシフトレンズ７０１を位置させるためのものである。具体的には、振れ補正信号の中心値を加算器７０６に供給することで、シフトレンズ７０１を光軸中心に停止させる制御が行えることになる。
【０１２８】
次に、カメラマイコン１３１内の構成について説明する。
【０１２９】
カメラマイコン１３１は、振れ検出部１２１からの入力された振れ検出信号をアナログ信号からデジタル信号へと変換するＡ／Ｄ変換器１２５と、該Ａ／Ｄ変換器１２５の出力から直流成分を除去するＨＰＦ１２６と、該ＨＰＦ１２６の出力に位相補償を行う位相補償部１２７と、該位相補償部１２７の出力の通過帯域制限をする可変ＨＰＦ１２８と、該可変ＨＰＦ１２８の出力を積分する積分器１２９と、該積分器１２９の入力と振れ検出信号振幅の中心値を切り換えて出力する出力切換器７０８と、振れ検出信号のフィルタリング、静止状態判定等振れ補正系の制御をする補正系制御部とから構成される。
【０１３０】
上記の構成において、入力された振れ検出信号はＡ／Ｄ変換器１２５でアナログ振れ信号をデジタル振れ信号に変換した後、ＨＰＦ１２６にてＡ／Ｄ変換等で生じた直流成分を除去する。したがって、ＨＰＦ１２６の遮断周波数は十分に低いものである。次いで、位相補償部１２７にて直流成分の除去された振れ検出信号に対し、位相特性を所定の周波数帯までフラットになるように高域周波数帯の位相遅れの位相補償を行い、次いで、遮断周波数を可変とした可変ＨＰＦ１２８で所定の通過帯域制限および位相補償を施し、さらに積分器１２９で積分処理することにより、角速度信号を角変位信号へと変換し振れ補正制御量を算出して、出力切換器７０８を介して、Ｄ／Ａ変換器７０７へ供給する。また、補正系制御部１３０は、振れ検出信号の振幅、周波数等から装置の状態を判断し可変ＨＰＦ１２８の遮断周波数を制御したり、出力切換器７０８の出力を切換えたりと振れ補正制御を最適化するように動作する。
【０１３１】
次に、カメラマイコン１３１内で実行される振れ補正処理について説明する。
【０１３２】
図８はカメラマイコン１３１内で実行される振れ補正処理を表すフローチャートであり、同図（ａ）は全体の処理においてＶ周期で処理されるルーチン、同図（ｂ）は全体の処理に割り込む割り込みルーチンである。
【０１３３】
まず、図８（ａ）において、ステップｓ８０１では、マイコンの初期設定であり、割り込み処理やＲＡＭの設定を行う。次のステップｓ８０２では、割り込みカウンタの値が設定値と等しくなったか否かを比較し、等しくなければ（ｎｏ）、設定値になるまで（静止判定ができる条件が整うまで）待機する。その後、割り込みカウンタの値が設定値と等しくなれば（ｙｅｓ）、ステップｓ８０３へ進み、割り込み処理のカウンタのリセットを行う。つまり、ステップｓ８０１の初期設定で設定された設定値で処理される毎に割り込みカウンタのカウントをクリアする。
【０１３４】
次に、ステップｓ８０４へ進み、振れ検出部１２１の検出信号の出力振幅および周波数等から装置の静止状態を判定する。例えば、振れ検出部１２１の検出信号の出力振幅が所定の閾値振幅よりも低く、かつ周波数が所定の閾値周波数より低い状態が所定の時間以上継続した場合は、装置が静止状態にあると判定し、あるいは、振れ検出部１２１の検出信号の出力振幅が所定の閾値振幅よりも高く、かつ周波数が所定の閾値周波数より高い場合は、装置が静止状態でないと判定する。そして、次のステップｓ８０５にて、装置が静止モードであるか否かを判定し、静止モードであれば（ｙｅｓ）であればステップｓ８０７へ進み、静止モードでなければ（ｎｏ）、ステップｓ８０６へ進む。
【０１３５】
静止モードでないとしてステップｓ８０６へ進むと、振れ検出部１２１の検出信号に基づいて、装置のパンニング／チルティング動作に対して振れ補正を最適化する。次のステップ８０７では、手ぶれ補正のオン／オフ設定を行う。つまり、ステップｓ８０５での判定結果や、装置のキー操作等から現在の手ぶれ補正が動作中であるか、停止中であるかを設定する。そして、設定後はステップｓ８０２に戻り、処理を繰り返す。
【０１３６】
次に、全体の処理に割り込む処理について、図８（ｂ）のフローチャートを用いて説明する。
【０１３７】
この処理は、Ｖ同期で処理される振れ補正処理（図８（ａ））よりも早い周期（例えば、１ｍｓｅｃ）で行われている処理であり、ステップｓ８２１では、信号取り込み処理、つまり振れ検出部１２１の振れ検出信号をＡ／Ｄ変換処理をして取り込む。次のステップｓ８２２では、ステップｓ８２１で取り込んだ振れ検出信号をＡ／Ｄ変換することで生じた直流成分の除去処理（ＨＰＦ演算）を行う。そして、次のステップｓ８２３にて、ステップｓ８２２で直流成分を除去された振れ検出信号に対して所定帯域の位相補償演算を行う。
【０１３８】
次のステップｓ８２４では、ステップｓ８２３で所定の位相補償を施された振れ検出信号に対して所定の帯域制限を施す（ＨＰＦ演算）。そして、次のステップｓ８２５にて、ステップｓ８２４で所定の帯域制限の施された振れ検出信号に対して積分処理を施し、角変位信号へと変換する。続くステップｓ８２６では、ステップｓ８２５で角変位信号に変換された振れ検出信号と振れ補正中心値との切り換え設定をする。具体的には、振れ補正信号を変動値、固定値のどちらかに切り換える処理であり、図８（ａ）のステップｓ８０７の振れ補正オン／オフ設定処理に従い、切り換えを行っている。
【０１３９】
次のステップｓ８２７では、振れ検出部１２１の振れ検出信号に基づき、ステップｓ８２１〜ｓ８２６までの処理によって算出された振れ補正信号をカメラマイコン１３１がＰＷＭ信号として出力する。出力されたＰＷＭ信号は、Ｄ／Ａ変換器７０７でアナログ信号に変換され、加算器７０６へ供給され、シフトレンズ７０１を駆動制御するのである。そして、次のステップｓ８２８にて、ステップｓ８２１〜ｓ８２７までの処理毎に割り込みカウンタを１ずつカウントアップして割り込み処理を終了する。
【０１４０】
以上説明したように、振れ検出部１２１にて検出される振れ検出信号に基づき、カメラマイコン１３１内で所定の信号処理を施し出力された振れ補正信号をＤ／Ａ変換器７０７でアナログ信号に変換した後、加算器７０６に入力し、増幅器７０５を介して供給されるシフトレンズ７０１の位置検出センサ７０３からのフィードバック信号と加算し、このようにして加算した出力を駆動回路７０４に供給し、駆動回路７０４よりアクチュエータ７０２に駆動信号を発して、シフトレンズ７０１を駆動させている。これにより、前記シフトレンズ７０１は撮像装置９０１に加わる振れを打ち消すように光軸に垂直な平面内を二次元的に移動するようになるので、手ぶれ等による振れ補正を実現可能としている。
【０１４１】
また、カメラマイコン１３１内で装置が静止状態であると判定され、振れ補正機能が一時的にオフ状態となった場合や、操作スイッチによる操作によって振れ補正機能がオフ状態とされた時には、振れ検出部１２１の振れ検出信号と該振れ検出信号の最大振幅の中心値との切り換えを行い、シフトレンズ７０１を光軸中心に停止制御することで、撮影画像が不用意に振れることを防止している。
【０１４２】
なお、カメラマイコン１３１は、撮像素子駆動回路の制御、露出制御、ホワイトバランス制御、変倍レンズ制御、オートフォーカス制御、手ぶれ補正制御等、カメラシステム全体の制御を行うが、従来例の説明を簡略化するために、振れ補正に関する部分のみ図示している。また、撮像装置に搭載する振れ補正機能として、少なくとも縦方向と横方向の２方向の振れ検出および振れ補正を行うが２方向同様の動作を行うので、従来例の説明を簡略化するために一方向の動作で説明を代表した。
【０１４３】
次に、本発明の実施の第３の形態に係る撮像装置による手ぶれ補正機能のデモンストレーションについて、前述の図３および図７を用いて説明する。
【０１４４】
図３（ａ）は販売店の店頭での撮像装置の展示状態を示しており、この場合には、撮像装置９０１は加振台等の特殊な台に設置する必要はなく、販売店の陳列棚や三脚等の固定台に設置するだけでよい。ここで、固定台に設置された撮像装置９０１は静止状態が続くため、静止状態判定によって手ぶれ補正モードが静止モードへ移行し、手ぶれ補正機能が一時的にオフ状態となっている。
【０１４５】
このように設置された撮像装置９０１で手ぶれ補正機能のデモンストレーションを行うために、最初に撮像装置９０１を手ぶれ補正機能デモモードに設定する必要がある。本発明では、装置のスイッチ類が操作されない状態が、電源投入から所定の時間（例えば５分間）継続したことでデモモードに移行することとなっている。また、別の手法として、手ぶれ補正機能オン／オフ切り換えスイッチを所定の時間以上（例えば１秒以上）長押しを行うことや、メニュー設定の手ぶれ補正機能の下位層に手ぶれオン／オフの他に、手ぶれ補正デモモードの項を設け、設定操作することで実現してもよい。
【０１４６】
前述のように、手ぶれ補正デモモードになると、撮像装置９０１では、振れ補正検出部１２１内の可変利得増幅器１０の利得をモード制御部１５２が制御して切り換える。つまり、通常は振れ検出部１２１の出力によって手ぶれ補正機能を動作させていた撮像装置９０１は、振れ補正デモモードとなった時点で、可変利得増幅器１０の利得を上げて、角速度センサ１２２の揺らぎ出力や、装置が検出する設置場所の振動を擬似振れ信号としてカメラマイコン１３１に入力することになる。カメラマイコン１３１では、静止状態判定によって静止モードとなっていた状態から手ぶれ補正モードへと切り換わり、入力された角速度センサ１２２の揺らぎ出力および、装置が検出する設置場所の振動である振れ検出信号に基づき、算出された振れ補正信号がＤ／Ａ変換器７０７に供給され、アナログ信号に変換後、加算器７０６に出力される。この振れ補正信号によって、シフトレンズ７０１を駆動制御することで、通常は振れ補正を行っているのだが、撮像装置９０１が固定状態なので、撮影画像は擬似的な手ぶれがある状態となる。この時の撮像装置９０１の撮影画像は撮像装置本体に接続された表示装置１００１、あるいは撮像装置本体に備える表示装置で確認が可能である。
【０１４７】
図３（ｂ）は撮像装置９０１に接続された表示装置１００１を示した図であり、撮像装置９０１の撮影している被写体像は、前述した擬似的な手ぶれのある状態で撮影されているため、表示装置１００１には振れた被写体像９０３となって現れる。また、現在の撮像装置９０１の状態が手ぶれ補正機能がオフ状態と対応している旨のメッセージ「デモモード  手ぶれ補正オフ」等を表示することで、ユーザーに擬似的な手ぶれのある撮影画像と認識させることが可能である。
【０１４８】
そして、前述した擬似的な手ぶれのある状態を所定の時間（例えば５秒間）実演した後、撮像装置９０１においては、モード制御部１５２が可変利得増幅器１０の利得を可変させることによって、振れ検出信号の振幅レベルを変化させることによって擬似的な手ぶれの低減された状態とする。この時の撮像装置９０１の撮影画像を図３（ｃ）に示しており、表示装置１００１には、撮像装置９０１の撮影する被写体像９０３の像振れが低減した状態で映し出される。また、現在の撮像装置９０１の状態が手ぶれ補正機能がオン状態と対応している旨のメッセージ「デモモード  手ぶれ補正デモオフ」等を表示することで、ユーザーに擬似的な  手ぶれが補正された撮影画像と認識させることが可能である。
【０１４９】
本発明の実施の第３の形態での擬似的な振れ信号の生成は、上記実施の第２の形態と同様なので、この時のモード制御部１５２の処理としては、図６に示すフローチャートに示すものと同様でよく、ここではその詳細説明は省略する。
【０１５０】
このように、角速度センサ１２２の揺らぎ出力や撮像装置９０１の設置された場所の振動による振れ検出信号を装置の擬似的な振れ信号とみなすことで、撮像装置９０１が販売店やショールームの展示台等に置かれた静止状態であっても該撮像装置９０１に擬似的な手ぶれが生じた状態を作り出すことを可能としている。そして、振れ補正デモモードとなっている間は、所定の時間（例えば、振れ補正機能のオフ状態を５秒、振れ補正機能のオン状態を５秒）ごとに可変利得増幅器２の利得を操作して、擬似的な撮像装置の振れ信号の利得を可変することで、擬似的手ぶれがある状態と、擬似的な手ぶれが低減された状態とを演出できるようになり、その時の撮像装置の映像出力をモニターするだけで手ぶれ補正機能のオフ状態からオン状態、オン状態からオフ状態の効果を確認することができる。
【０１５１】
また、視覚的効果だけでなく、手ぶれ補正機能のオン／オフに対応するようなメッセージ表示をすることによって、認知度がより上がることになる。このメッセージ表示は、撮像装置本体の備えるビューファインダー等にも表示されるので、モニターに接続されていない状態でも確認が可能である。
【０１５２】
また、振れ検出部１２１内の既存の角速度センサ１２２の出力（揺らぎ出力や撮像装置９０１の設置された場所の振動による振れ検出信号）を、擬似的な装置の振れ信号として生成する構成にしているので、新たに擬似的な装置の振れ信号を生成する構成を具備する場合に比べ、コスト面で有利なものとなる。
【０１５３】
なお、上記実施の第３の形態では、光学的に光軸を変更する振れ補正手段として、シフトレンズを用いた例を示しているが、これに限定されるものではなく、可変頂角プリズムを用いる構成であってもよい。
【０１５４】
また、この実施の第３の形態では、角速度センサの揺らぎ出力や撮像装置の設置された場所の振動による振れ検出信号を装置の擬似的な振れ信号とみなす例を示したが、これに限定されるものではなく、上記実施の第１の形態と同様、マイクから入力された音声信号を擬似的な装置の振れ信号とみなす構成にしてもよい。
【０１５５】
以上の実施の第１〜第３の形態によれば、マイク１から入力された音声信号を擬似的な装置の振れ信号とみなしたり（実施の第１の形態）、角速度センサ１２２の揺らぎ出力や撮像装置の設置された場所の振動による振れ検出信号を装置の擬似的な振れ信号とみなす（実施の第２及び第３の形態）ことで、販売店やショールームの展示台等に置かれた静止状態であっても撮像装置に擬似的な手ぶれが生じた状態を作り出すことを可能とし、手ぶれ補正デモモードとなっている間は、所定の時間（例えば、振れ補正機能のオフ状態を５秒、振れ補正機能のオン状態を５秒）ごとに、振れ検出信号の増幅器である可変利得増幅器の利得を制御して、擬似的な撮像装置の振れ信号の利得を可変して、擬似的手ぶれがある状態と擬似的な手ぶれが低減された状態とを実演可能としているので、図９にて説明した従来のように加振台等の特殊な装置を用意したり、手持ちでの実演を行わなくとも、図３に示すように、固定の展示台上に撮像装置を置き、その時の撮像装置の映像出力をモニターするだけで、手ぶれ補正機能のオフ状態からオン状態、オン状態からオフ状態の効果を確認することができる。
【０１５６】
また、視覚的効果だけでなく、手ぶれ補正機能のオン／オフに対応するようなメッセージ表示をする（図３（ｂ），（ｃ）参照）ことによって、ユーザーに手ぶれ補正機能の効果をより把握してもらえる効果がある。
【０１５７】
最後に、請求項１に記載の構成以外の本発明に係る撮像装置の実施態様について以下に列挙する。
【０１５８】
（実施態様１）  撮像装置に加わる振れを検出する振れ検出手段と、擬似の振れ信号を生成する擬似振れ信号生成手段と、前記振れ検出手段よりの振れ検出信号もしくは前記擬似振れ信号生成手段よりの前記擬似の振れ信号に基づいて振れ補正信号を算出する演算手段と、該演算手段により算出された前記振れ補正信号に基づき、画像の振れを補正する振れ補正手段と、前記演算手段への入力を、前記振れ検出信号と前記擬似の振れ信号のいずれかに切り換える入力切換手段と、外部操作により選択される撮像装置の動作モードが手ぶれ補正モードか手ぶれ補正デモモードかに応じて前記入力切換手段の切り換え制御を行う制御手段とを有し、
前記制御手段は、動作モードが手ぶれ補正モードから手ぶれ補正デモモードに移行した場合、前記演算手段への入力を前記振れ検出信号から前記擬似の振れ信号に切り換えて、擬似的な振れ画像を視認可能とし、該擬似的な振れ画像を視認可能としてから所定時間経過すると、前記擬似の振れ信号を低減させるようにその出力振幅を可変させ、擬似的な振れ補正画像を視認可能とし、以後、手ぶれ補正デモモードの間、上記の擬似的な振れ画像と振れ補正画像を所定時間毎に繰り返すことができるように、前記擬似の振れ信号の出力振幅を制御することを特徴とする撮像装置。
【０１５９】
（実施態様２）  前記擬似的な振れ画像と振れ補正画像を所定時間毎に繰り返す際、前記各画像に重ねてそれぞれの動作状態を表示する表示発生手段を有することを特徴とする実施態様１に記載の撮像装置。
【０１６０】
（実施態様３）  撮像装置に加わる振れを検出する振れ検出手段と、音を収音する収音手段と、該収音手段の出力振幅を可変とする可変利得増幅手段と、該可変利得増幅手段の出力の周波数帯域を手ぶれの周波数帯域に変換する周波数変換手段と、該周波数変換手段の出力に帯域制限をかけて擬似の振れ信号とする低域通過制限手段と、前記振れ検出手段よりの振れ検出信号もしくは前記低域通過制限手段よりの擬似の振れ信号に基づいて振れ補正信号を算出する演算手段と、該演算手段により算出された前記振れ補正信号に基づき、画像の振れを補正する振れ補正手段と、前記演算手段への入力を、前記振れ検出信号と前記擬似の振れ信号のいずれかに切り換える入力切換手段と、外部操作により選択される撮像装置の動作モードが手ぶれ補正モードか手ぶれ補正デモモードかに応じて前記入力切換手段の切り換え制御を行う制御手段とを有することを特徴とする撮像装置。
【０１６１】
（実施態様４）  撮像装置に加わる振れを検出する振れ検出手段と、該振れ検出手段よりの振れ検出信号の出力振幅を可変とする可変利得増幅手段と、前記振れ検出信号もしくは該振れ検出信号の出力振幅が変化された擬似の振れ信号に基づいて振れ補正信号を算出する演算手段と、外部操作により選択される撮像装置の動作モードが手ぶれ補正モード時は、前記可変利得増幅手段により出力振幅を変化させていない生の前記振れ検出信号が前記演算手段に入力するようにし、動作モードが手ぶれ補正デモモード時は、前記可変利得増幅手段により前記振れ検出信号の出力振幅を変化させて前記擬似の振れ信号が前記演算手段に入力するようにする制御手段とを有することを特徴とする撮像装置。
【０１６２】
（実施態様５）  前記制御手段は、動作モードが手ぶれ補正モードから手ぶれ補正デモモードに移行した場合、前記可変利得増幅手段を制御して前記演算手段への入力を前記振れ検出信号から前記擬似の振れ信号に切り換えて、擬似的な振れ画像を視認可能とし、該擬似的な振れ画像を視認可能としてから所定時間経過すると、前記擬似の振れ信号を低減させるようにその出力振幅を更に変化させ、擬似的な振れ補正画像を視認可能とし、以後、手ぶれ補正デモモードの間、上記の擬似的な振れ画像と振れ補正画像を所定時間毎に繰り返すことができるように、前記擬似の振れ信号の出力振幅を変化させることを特徴とする撮像装置。
【０１６３】
（実施態様６）  前記擬似的な振れ画像と振れ補正画像を所定時間毎に繰り返す際、前記各画像に重ねてそれぞれの動作状態を表示する表示発生手段を有することを特徴とする実施態様５に記載の撮像装置。
【０１６４】
（実施態様７）  装置の振れを検出する振れ検出手段と、該振れ検出手段の検出信号に基づいて振れ補正信号を算出する振れ補正信号演算手段と、該振れ補正信号演算手段により算出された振れ補正信号に基づき、画像の振れを補正する振れ補正手段と、音を収音する収音手段と、該収音手段の出力振幅を可変とした可変利得増幅手段と、該可変利得増幅手段の出力の周波数帯域を手ぶれの周波数帯域に変換する周波数変換手段と、該周波数変換手段の出力に帯域制限をかける低域通過制限手段と、前記振れ検出手段の出力と前記低域通過制限手段の出力とを切換える入力切換え手段と、装置の操作を行う操作手段と、該操作手段による装置の動作モードを設定する動作モード設定手段と、該動作モード設定手段による動作の状態を表示する表示発生手段とを有し、
前記入力切換え手段は、前記動作モード設定手段によって制御されることを特徴とする撮像装置。
【０１６５】
（実施態様８）  装置の振れを検出する振れ検出手段と、該振れ検出手段の検出信号に基づいて振れ補正信号を算出する振れ補正信号演算手段と、該振れ補正信号演算手段により算出された振れ補正信号に基づき、画像の振れを補正する振れ補正手段と、装置の操作を行う操作手段と、該操作手段による装置の動作モードを設定する動作モード設定手段と、該動作モード設定手段による動作の状態を表示する表示発生手段とを有し、
前記振れ検出手段は、振れ信号の出力振幅を可変とする可変利得増幅手段を含み、前記動作モード設定手段によって制御されることを特徴とする撮像装置。
【０１６６】
（実施態様９）  前記表示発生手段は、予め設定されている文字情報に基づき、文字を発生する文字列発生手段と、該文字列発生手段の出力した文字情報を映像信号に加算する加算手段とを含み、前記文字列発生手段は、前記動作モード設定手段によって制御されることを特徴とする実施態様６又は７に記載の撮像装置。
【０１６７】
（実施態様１０）  前記振れ補正手段は、撮像素子の読み出し位置を制御することにより撮像面上における画像の動きを補正することを特徴とする実施態様１〜９のいずれかに記載の撮像装置。
【０１６８】
（実施態様１１）  前記振れ補正手段は、光学的に光軸を偏向することにより撮像面上における画像の動きを補正することを特徴とする実施態様１〜９のいずれかに記載の撮像装置。
【０１６９】
（実施態様１２）  前記振れ補正手段は、シフトレンズとその駆動回路により構成されることを特徴とする実施態様１１に記載の撮像装置。
【０１７０】
（実施態様１３）  前記振れ補正手段は、可変頂角プリズムとその駆動回路により構成されることを特徴とする実施態様１１に記載の撮像装置。
【０１７１】
（実施態様１４）  擬似的な手ぶれ画像を表示するときは、手ぶれ補正機能オフの状態に相当するメッセージ表示を行い、擬似的な手ぶれ補正画像を表示するときには、手ぶれ補正機能オン状態に相当するメッセージ表示を行うことを特徴とする実施態様２，６又は８に記載の撮像装置。
【０１７２】
【発明の効果】
以上説明したように、本発明によれば、撮像装置を擬似的に振れのある状態にする為の特殊な装置を用いることなく、コストや実演の手間をかけなくても容易にユーザーが手ぶれ補正機能の動作中の効果を確認できるようなデモンストレーションを行える撮像装置を提供できるものである。
【図面の簡単な説明】
【図１】本発明の実施の第１の形態に係る撮像装置の主要部分の回路構成を示すブロック図である。
【図２】本発明の実施の第１の形態に係る擬似的振れ検信号とする音声信号の波形を示す図である。
【図３】本発明の実施の各形態において具体的な手ぶれ補正デモモードの動作を示す図である。
【図４】本発明の実施の第１の形態における手ぶれ補正デモモード時の動作を示すフローチャートである。
【図５】本発明の実施の第２の形態に係る撮像装置の主要部分の回路構成を示すブロック図である。
【図６】本発明の実施の第２の形態における手ぶれ補正デモモード時の動作を示すフローチャートである。
【図７】本発明の実施の第３の形態に係る撮像装置の主要部分の回路構成を示すブロック図である。
【図８】本発明の実施の第３の形態における手ぶれ補正制御処理を示すフローチャートである。
【図９】従来例の撮像装置における手ぶれ補正機能のデモンストレーションを説明する図である。
【図１０】従来例の撮像装置における手ぶれ補正機能のデモンストレーションを行ったときの撮像装置の撮影画像を示す図である。
【図１１】従来例の撮像装置における手ぶれ補正制御処理を示すフローチャートである。
【図１２】電子式手ぶれ補正を行うための撮像素子の切り出しエリアを説明する図である。
【図１３】従来の撮像装置の主要部分の回路構成を示すブロック図である。
【符号の説明】
１        マイクロホン
２      音声信号の可変利得増幅器
３      周波数変換器
４      ＬＰＦ
５      音声入力部
６      入力切換回路
１０    可変利得増幅器
１０１  撮影レンズ
１０２  撮像素子
１０３  カメラ信号処理回路
１０４  撮像素子駆動回路
１０５  ラインメモリ
１０６  メモリ制御回路
１０７  文字列発生器
１０８  加算器
１２１  振れ検出部
１２２  角速度センサ
１２３  ＨＰＦ
１３１  カメラマイコン
１５１  操作スイッチ群
１５２  モード制御部
３０１  展示台
７０１  シフトレンズ
７０２  アクチュエータ
７０３  位置検出センサ
７０４  駆動回路
７０５  増幅器
７０６  加算器
７０７  Ｄ／Ａ変換器
９０１  撮像装置
９０２  加振台
【図１】
2004312136.tif 000003
【図２】
2004312136.tif 000004
【図３】
2004312136.tif 000005
【図４】
2004312136.tif 000006
【図５】
2004312136.tif 000007
【図６】
2004312136.tif 000008
【図７】
2004312136.tif 000009
【図８】
2004312136.tif 000010
【図９】
2004312136.tif 000011
【図１０】
2004312136.tif 000012
【図１１】
2004312136.tif 000013
【図１２】
2004312136.tif 000014
【図１３】
2004312136.tif 000015